(57)【要約】      （修正有）【課題】底板の疵や凹みを効果的に防止することで、運搬時や使用時の取り扱いを容易にした段ボール棺を提供する。【解決手段】段ボール棺は、強化段ボール材からなる展開シートを箱状に組み立ててなるもので、底板１２Ａと、この底板１２Ａの左右にほぼ垂直に立ち上げられる側板１２Ｂ，１２Ｂと、底板１２Ａの前後にほぼ垂直に立ち上げられる妻板とを備える。底板１２Ａの下側には、その板面を覆い隠す可燃性材料からなる補強板１５が設けられる。側板１２Ｂ，１２Ｂおよび妻板の板面には化粧布を接着し、この化粧布の下端部に補強板１５を縫い付けるとよい。【選択図】図４
0003135604.tif 000002
【実用新案登録請求の範囲】
【請求項１】
強化段ボール材からなる展開シートを箱状に組み立ててなる段ボール棺であって、
底板と、
この底板の左右にほぼ垂直に立ち上げられる側板と、
前記底板の前後にほぼ垂直に立ち上げられる妻板とを備え、
前記底板の下側には、前記底板の板面を覆い隠す可燃性材料からなる補強板が設けられることを特徴とする段ボール棺。
【請求項２】
請求項１記載の段ボール棺であって、前記補強板が、前記底板とほぼ同一形状の合板からなる、段ボール棺。
【請求項３】
請求項１記載の段ボール棺であって、前記補強板が、前記底板とほぼ同一形状の圧縮パルプボードからなる、段ボール棺。
【請求項４】
請求項１〜３のいずれか一項記載の段ボール棺であって、前記側板および前記妻板の板面に化粧布を接着するとともに、この化粧布の下端部に前記補強板を縫い付ける、段ボール棺。
【請求項５】
請求項４記載の段ボール棺であって、補強板の各辺に化粧布を筒状に縫い付けて袋体を作製し、この袋体の布面を側板および妻板の板面に接着してなる、段ボール棺。
【請求項６】
請求項４記載の段ボール棺であって、補強板の各辺に化粧布を展開状に縫い付け、これらの展開布の布面をそれぞれ側板および妻板の板面に接着してなる、段ボール棺。
【考案の詳細な説明】
【技術分野】
【０００１】
本考案は、段ボール棺に関するもので、詳しくは、段ボール棺の底板構造に関するものである。
【背景技術】
【０００２】
従来より、木製棺に代わる棺として段ボール棺が知られている。段ボール棺は、木製棺に比べ軽量で燃焼性に優れ、段ボール板の折り曲げ加工により簡単に組み立てることができるため、環境に優しい葬送品として注目されている。
従来の段ボール棺の構成としては、例えば矩形の底板の左右に側板が立ち上げられ、底板の前後に妻板が立ち上げられる。底板、側板および妻板は、強化段ボール材からなる展開シートを箱状に組み立てることにより形成される。展開シートにおける各板の境界には折曲用のＶ溝加工が施される。
なお、段ボール棺の先行技術としては、特許文献１および２が開示されている。
【０００３】
【特許文献１】実開平７−１７２２５号公報
【特許文献２】特開２００５−１８７０４９号公報
【考案の開示】
【考案が解決しようとする課題】
【０００４】
しかしながら、このような従来の段ボール棺は、軽量で燃えやすい段ボール材を使用する反面、その板面（段ボール紙面）の強度が木製棺に比べて小さい。このため、棺の荷重が底板の一部に集中すると、その板面に疵や凹みが生じやすくなっている。
【０００５】
具体的には次のような状況で底板の強度不足の問題が生じている。
（１）霊柩車で棺を運搬する場合、コンベア式の荷台に棺を載せることがある。コンベアには、通常、複数のローラが並設されており、これらのローラ上を転がして棺が出し入れされる。このようなコンベア式の荷台に段ボール棺を載せると、その底板がローラの接触部分で押されて凹み、段ボール棺の移動の妨げになるおそれがある。
（２）また、葬儀の際には、祭壇の前に棺台を備え付けてその上に棺を載せることが多い。棺台は、木材や石材などの堅い材料で柱状に形成されるため、このような棺台に段ボール棺を載せると、棺台の台面に荷重が集中して底板の板面に凹み跡が残ってしまう。
【０００６】
段ボール棺の補強構造としては、特許文献１に示すように、段ボール棺の外側に枠材を固定するものが知られているが、このような枠材は、箱形状を保つのには有効であっても、底板の強度を十分に補うことはできない。また、霊柩車のコンベアに段ボール棺を載せるときに枠材が邪魔になる。
【０００７】
本考案は、このような現状に鑑みなされたもので、底板の疵や凹みを効果的に防止することで、運搬時や使用時の取り扱いを容易にした段ボール棺を提供することを目的としている。
【課題を解決するための手段】
【０００８】
［第１考案］
前記課題を解決するための第１考案の組立式段ボール棺は、
強化段ボール材からなる展開シートを箱状に組み立ててなる段ボール棺であって、
底板と、
この底板の左右にほぼ垂直に立ち上げられる側板と、
前記底板の前後にほぼ垂直に立ち上げられる妻板とを備え、
前記底板の下側には、前記底板の板面を覆い隠す可燃性材料からなる補強板が設けられる構成とした。
【０００９】
このような構成によれば、底板の下面が補強板で覆われるため、底板の段ボール紙面が補強板で保護される。このため、段ボール棺をローラや棺台等に載せても、その荷重により底板の板面に疵や凹みが生じない。また、可燃性材料からなる補強板を段ボール材と共に簡単に焼却することができる。この結果、段ボール棺の運搬時や使用時の取り扱いを容易にすることができる。
【００１０】
第１考案において、補強板には、底板とほぼ同一形状の合板を採用することが望ましい。「合板」は、薄く切った複数の木製の単板を異なる繊維方向で互い違いに重ねて熱圧接着することで得られる。  
このように合板の補強板を採用することで、段ボール棺の燃焼性および耐荷重性を良好にすることができる。また、合板の板面に亀裂が生じにくいため、後述の第２発明で説明するように、板面に縫い針を通してもその強度が低下しにくいといった利点もある。
【００１１】
また、第１考案において、補強板には、底板とほぼ同一形状の圧縮パルプボードを採用してもよい。「圧縮パルプボード」は、例えば古紙等のパルプ原料を板状に圧縮成形することにより得られる。
圧縮パルプ材の補強板を採用する場合、前述の「合板」と同様な効果を得ることができる他、燃焼性・軽量性に優れる紙材料で棺全体を統一を図ることができるため、さらに環境に優しい段ボール棺を実現することができる。
その他、補強板の材料としては、合成樹脂や皮革を用いることも可能である。
【００１２】
［第２考案］
第２考案の段ボール棺は、第１考案の構成を備えるものであって、
前記側板および前記妻板の板面に化粧布を接着するとともに、この化粧布の下端部に前記補強板を縫い付ける構成とした。
【００１３】
前述の第１考案において、底板に補強板を固定する手段としては、接着剤やタッカー（ステープルを板材に打ち込む道具）が考えられる。接着剤を用いる場合、底板と補強板との間に剪断力が作用すると、両者の接着面が剥がれやすい問題がある。また、タッカーを使用する場合には、底板と補強板とを固定するステープルが金属であるため、段ボール棺の焼却時に金属クズとして残ってしまうという問題がある。
【００１４】
一方、段ボール棺の表面には、その紙面を覆い隠して質感を高めるために絵柄等の付いた化粧布が接着されることが多い。化粧布は、通常、比較的広い接着面で側板および妻板の板面に強固に固定されている。
第２考案では、このような化粧布に補強板を縫い付けることで、補強板の固定強度を高めて上記のような問題点を解決するようにしたものである。
【００１５】
すなわち、第２考案の構成によれば、化粧布の下端部に補強板が縫い付けられた状態で底板の下面に重ねて止められる。これにより、化粧布により補強板を底板側に吊り上げるように保持することができ、補強板の固定状態を良好に保つことができる。
また、第２考案では、補強板と化粧布との縫い合わせに可燃性の糸を用いることで、ステープル等の金属クズが棺の焼却時に残ることもない。
【００１６】
化粧布を接着する手順としては、例えば補強板の各辺に化粧布を筒状に縫い付けて袋体を作製し、この袋体の布面を側板および妻板の板面に接着するとよい（実施形態の《袋式の手順》参照）。
また、補強板の各辺に化粧布を展開状に縫い付け、これらの展開布の布面をそれぞれ側板および妻板の板面に接着することもできる（実施形態の《展開式の手順》参照）。
【００１７】
また、第２考案において、底板と補強板とを固定する手段として、接着剤やタッカーを併用してもよい。これらの固定手段を併用することで、補強板の固定強度をさらに高めることが可能になる。なお、タッカーを使用する場合には、金属クズの発生を抑えるため、ステープルの打込み数を極力少なくする。
【００１８】
［第１および２考案］
第１および２考案の段ボール棺は、強化段ボール材からなる箱状の段ボール棺に適用することができる。段ボール棺の用途（人用、ペット用等）や種類（寝棺、座棺等）は、特に限定されることはない。
【００１９】
第１および２考案は、必要に応じて単独で適用してもよいし、これらの考案を組み合わせて適用してもよい。また、本明細書に記載される他の考案を組み合わせてもよい。
【考案を実施するための最良の形態】
【００２０】
以下、本考案の実施の形態を図面に基づいて説明する。本実施形態は、三層強化段ボールからなる段ボール棺に本考案を適用したものである。
【００２１】
［第１実施形態］
図１に示すように、段ボール棺１０は、箱状の棺本体１２と蓋体１３とを有する。蓋体１３の前寄りの位置に窓１４が設けられ、この窓１４の扉を開くことで棺の内部が覗けるようになっている。棺本体１２の下側には合板製の補強板１５が固定される。
段ボール棺１０の寸法は、例えば長さが１７０〜２００ｃｍ程度、幅が５０〜７０ｃｍ程度、棺本体１２と蓋体１３を含めた高さが４０〜５０ｃｍ程度である。
【００２２】
棺本体１２は、底板１２Ａと、この底板１２Ａの左右（図１では上下）にほぼ垂直に立ち上げられる側板１２Ｂ，１２Ｂ（図１では左右）と、底板１２Ａの前後にほぼ垂直に立ち上げられる妻板１２Ｃ，１２Ｃとを有している。
【００２３】
図２に示すように、底板１２Ａ、側板１２Ｂ，１２Ｂおよび妻板１２Ｃ，１２Ｃは、強化段ボール材からなる展開シートＰを折り曲げて箱状に組み立てられる。展開シートＰにはその中央に矩形の底板１２Ａが設けられ、底板１２Ａの左右に側板１２Ｂ，１２Ｂ、底板１２Ａの前後に妻板１２Ｃ，１２Ｃがそれぞれ設けられる。底板１２Ａと側板１２Ｂ，１２Ｂとの境界には、折曲用の縦Ｖ溝ｙ，ｙが形成されており、底板１２Ａと妻板１２Ｃとの境界には横Ｖ溝ｘ，ｘが形成される。
【００２４】
棺本体１２を組み立てる場合、展開シートＰの底板１２Ａの左右で縦Ｖ溝ｙ，ｙに沿って側板１２Ｂ，１２Ｂをほぼ垂直に折り曲げて立ち上げ、底板１２Ａの前後で横Ｖ溝ｘ，ｘに沿って妻板１２Ｃ，１２Ｃを垂直に折り曲げて立ち上げる。そして、互いの側端面を密着させて接着剤、接着テープ等で固定する。
【００２５】
強化段ボール材としては、板厚１０〜２０ｍｍ程度の三層強化段ボール材（例えばトライウォール社製）が採用される。この段ボール材は、図２の［３］部分拡大図に示すように、２枚の厚板（ライナー）Ｒb，Ｒfとの間に、３層の波板ｒ1〜ｒ3が仕切り板ｒ4およびｒ5を介して積層されてなる。厚板（ライナー）Ｒb，Ｒfに樹脂材料を含浸させてその板面を強化することで、強化段ボール板の耐圧性・耐水性が高められている。
折曲げ用のＶ溝加工は、これらの層のうち厚板Ｒf，Ｒbのいずれかを残して他の層を回転刃等を用いて切削するか、プレス機等で段ボール板を断面Ｖ字状に圧縮することにより行う。段ボール板を折り曲げる際には、残した片方の厚板（ライナー）のみを折り曲げて、Ｖ溝の傾斜する溝面を互いに密着させる。Ｖ溝の溝角がほぼ９０゜になるようにＶ溝加工を施せば、隣り合う板同士がほぼ垂直に折れ曲がる。
【００２６】
側板１２Ｂ，１２Ｂおよび妻板１２Ｃ，１２Ｃの上部には、一定の板幅で枠板１２Ｄが内側に折り返される（図１参照）。枠板１２Ｄは、展開シートＰの左右および前後の端部にＷ溝（ほぼ９０゜角にカットされたＶ溝を２列に並設して形成した溝）を隔てて一定の板幅で設けられている。これらのＷ溝によって枠板１２Ｄが１８０゜折り曲げられて側板１２Ｂ，１２Ｂおよび妻板１２Ｃ，１２Ｃの内側端部に重なる。枠板１２Ｄは、棺本体１２の上端開口部を補強する役割を果たす。
【００２７】
図４に示すように、棺本体１２の板面には化粧布１６が接着される。化粧布１６は、棺本体１２の外側から内側にかけて上端で折り返されて連なり、側板１２Ｂ、妻板１３Ｃおよび枠板１２Ｄの各板面を覆う。葬儀の参列者等は、段ボール棺１０を観ても、段ボール紙面ではなく、化粧布１６の表面を観ることになる。
なお、図４には図示されないが、必要に応じて棺本体１２の内側の段ボール紙面を覆うように化粧布を接着することも可能である。
【００２８】
図示は省略するが、蓋体１３についても、棺本体１２と同様に強化段ボール材からなる展開シートを折り曲げて形成することができる。蓋体１３の組み立てる展開シートには、例えば図１に示す矩形の天板１３Ａの各辺に傾斜板１３ａを連ねて側板１３Ｂ，１３Ｂおよび妻板１３Ｃ，１３Ｃを設ける。そして、蓋体１３の板面には棺本体１２と同様な化粧布を貼り付ける。
【００２９】
図４に示すように、棺本体１２の化粧布１６には、その下端部に補強板１５が縫い糸１７によって固定される。補強板１５の下側に一定幅で化粧布１６を重ねた状態で、専用のミシンにより縫い糸１７が縫い付けられる。縫い糸１７は、可燃性材料からなるもので、矩形の補強板１５の各辺に沿って縦横方向に直線上に延びている。
【００３０】
補強板１５は、底板１２Ａとほぼ同一形状で、底板１２Ａの下面を覆い隠す。補強板１５の厚みは底板１２Ａよりも小さく数ｍｍ程度である。補強板１５の底板１２Ａとの接触面には接着剤が塗布される。すなわち、補強板５は、前述の縫い糸１７と接着剤とによって底板１２Ａの下面に重なった状態で固定される。
【００３１】
次に、補強板１５および化粧布１６の固定方法について説明する。棺本体１２に補強板１５および化粧布１６を固定する方法としては、下記の袋式または展開式の手順によることができる。
【００３２】
《袋式の手順》
図５に示すように、化粧布としては、側布１６ｊと妻布１６ｋを用いる。まず、補強板１５の左右側端に矩形の側布１６ｊを縫い付け、補強板１５の前後側端に矩形の妻布１６ｋを縫い付ける。次いで、補強板１５の四隅付近で側布１６ｊと妻布１６ｋとの端部を重ねて図５で上下方向に筒状に縫い合わせ、補強板１５を囲む袋状態（袋体）とする。
図５に示す袋体において、側布１６ｊと妻布１６ｋの各縫い代は、袋内に隠れるようにする。これにより、段ボール棺１０の外側に縫い代（各布の縫い糸１７よりも外側部分）が露出せず、棺の美感を向上させることができる。
【００３３】
図６に示すように、補強板１５の縫い糸１７については、矩形の各辺に沿って２本づつセットで縫い付けることが望ましい。この場合、２本の糸の間隔は数ｍｍ程度に保ち、補強板１５の左右にそれぞれ２本、前後にそれぞれ２本、合計８本の縫い糸１７を使用する。このように適度な間隔を保って複数の縫い糸１７を並んで縫い付けることで、補強板１５と化粧布１６との結合強度を高めることができ、底板１２Ａと補強板１５との固定の信頼性を高めることができる。
【００３４】
次に、図５に示す袋体を上下反転させてその内側に棺本体１２を挿入する。底板１２Ａと補強板１５との接触面に接着剤を塗布して両板を上下に重ねて固定する。このとき、側板１２Ｂと妻板１２Ｃの板面（段ボール紙面）にも接着剤を塗布し、側布１６ｊおよび妻布１６ｋを上方に引っ張りながら各布面の段ボール紙面に貼り付ける。そして、側布１６ｊおよび妻布１６ｋの棺本体１２の上方に余った部分を内側に折り込んで枠板１２Ｄの板面（段ボール紙面）に貼り付ける。
【００３５】
袋式の手順によると、補強板１５と化粧布１６とにより予め袋体を作製し、これを棺本体１２に合体させるため、底板１２Ａと補強板１５との位置合わせが簡単で、しかも、側布１６ｊと妻布１６ｋとの継ぎ目が棺本体１２の角部に一致してその見栄えが良好になる。
【００３６】
《展開式の手順》
棺本体１２に補強板１５および化粧布１６を固定するための方法としては、補強板１５に側布１６ｊおよび妻布１６ｋを縫い付けた後、各布を展開状態から順次棺本体１２に貼り付けていくようにしてもよい。
【００３７】
図８に示すように、まず、補強板１５の左右側端と前後側端とにそれぞれ側布１６ｊと妻布１６ｋとを縫い付けて展開状態に保つ。この補強板１５の上に接着剤を塗布し、棺本体１２を重ねて貼り付ける。この状態から、図９に示すように、側布１６ｊと妻布１６ｋとを上方に引っ張りながら順に棺本体１２の外側および内側の段ボール紙面に接着する。
【００３８】
展開式の手順によると、側布１６ｊと妻布１６ｋとの継ぎ目を縫い合わせる必要がないため、その作業の手間が省ける。また、棺本体１２の段ボール紙面に側布１６ｊと妻布１６ｋとを引っ張りながら貼り付けることができるため、接着面の密着性を高めることができる。
【００３９】
次に、補強板１５の作用について説明する。
図１０に霊柩車の荷台に備え付けられるコンベアの一例を示した。コンベア１８は、長さ方向に所定の間隔を保って搬送用のローラ１８ａが回転自在に設けられている。段ボール棺１０を搬送する場合、ローラ１８ａ上を転がしながら段ボール棺１０をコンベア１８の前後に移動させる。
コンベア１８に段ボール棺１０を載せる場合、各ローラ１８ａは補強板１５に当たるため、底板１２Ａの段ボール紙面がローラ１８ａで押されて凹むことが防止される。このため、段ボール棺１０がローラ１８ａ上をスムーズに移動し、その出し入れ作業を快適に行える。
【００４０】
また、図１１に示すように、段ボール棺１０を棺台１９に載せる場合、棺台１９の上端台面に段ボール棺１０の荷重が集中するが、底板１２Ａが補強板１５で保護されるため、底板１２Ａの段ボール紙面に棺台１９による疵や凹みが残らない。また、補強板１５で段ボール棺１０の水平な姿勢を補助して、底板１２Ａが下向きに撓むのを抑えることもできる。これにより、棺台１９に長時間、安心して段ボール棺１０を載置することが可能になる。
【００４１】
このように段ボール棺１０によれば、底板１２Ａの疵や凹みを補強板１５により効果的に防止することができる。
また、化粧布１６の下端部に補強板１５が縫い付けられるため、たとえ棺本体１２と補強板１５との接着面が剥がれても、化粧布１６が補強板を保持し、棺本体１２から補強板１５が外れる心配がない。
この結果、段ボール棺１０の運搬時や使用時の取り扱いを容易にすることができ、軽量で組立性の良好な段ボール材のメリットを活かしつつ、従来の木製棺と同等若しくはそれ以上の強度と耐久性を備えた高品質の段ボール棺を提供することが可能になる。
【００４２】
［第２実施形態］
次に、本考案の第２実施形態を図１２および図１３に示した。
第２実施形態の段ボール棺２０は、平面から観て八角形の棺形状を採用したものである。棺本体１２の四隅には、側板１２Ｂと妻板１２Ｃの板面に対しほぼ４５゜傾斜する面取り板１２ｂが設けられる。蓋体１３の四隅には、面取り板１２ｂに対応する傾斜をもつ面取り板１３ｂが設けられている。
【００４３】
棺本体１２の下側には、八角形状の補強板２５が固定される。この補強板２５は、合板製で棺本体１２の底板１２Ａとほぼ同一形状になっており、その八角形の各辺の寸法が底板１２Ａの各辺の寸法と一致する。
棺本体１２および蓋体１３の表面には、化粧布（図１２で図示省略）が接着される。棺本体１２の化粧布の下端部には補強板２５が縫い糸によって固定される。
【００４４】
棺本体１２に補強板２５および化粧布を固定する方法としては、例えば第１実施形態の展開式の手順による。
具体的には、図１３に示すように、側布２６ｊと妻布２６ｋを用いる。まず、補強板２５の左右側端と前後側端とにそれぞれ側布２６ｊと妻布２６ｋとを縫い付けて展開状態に保つ。この補強板１５の上に接着剤を塗布し、棺本体１２を重ねて貼り付け、この状態から、側布２６ｊと妻布２６ｋとを上方に引っ張りながら順に棺本体１２の外側および内側の段ボール紙面に接着する。
【００４５】
このように第２実施形態によっても、棺本体１２の底板１２Ａが補強板２５で保護されるため、底板１２Ａの疵や凹みが防止される。この結果、霊柩車のコンベアに段ボール棺２０を置いたり、棺台に段ボール棺２０に置く場合でも、安心して段ボール棺２０を取り扱うことができる。
【００４６】
［変形例］
第１および第２実施形態を説明したが、本考案の実施形態はこれらに限定されることなく、下記の通り種々の変形・変更を伴ってもよい。
例えば第１および第２実施形態において、補強板１５，２５は、合板に代えて、圧縮パルプ、合成樹脂、皮革等の可燃性材料で形成してもよい。また、枠板１２Ｄについては、必ずしも設ける必要はなく、必要に応じて省略してもよい。
第１および第２実施形態では、棺本体１２の底板１２Ａに本考案を適用しているが、蓋体１３の強度を高める場合には、蓋体１３の天板１３Ａに本考案を適用してもよい。
さらに、段ボール棺を作製するための段ボール材は、三層強化段ボールに限られず、その他の多層段ボール材、ハニカム構造の段ボール材等であってよい。
底板１２Ａ、側板１２Ｂおよび妻板１２Ｃは、必ずしも一枚の展開シートに配置する必要はなく、２枚以上のシートに分けて作製してもよい。
【図面の簡単な説明】
【００４７】
【図１】本考案の第１実施形態の段ボール棺を示す分解斜視図である。
【図２】同段ボール棺の棺本体を組み立てるための展開シートを示す一部切欠平面図およびその破線方向の端面図である。
【図３】同段ボール棺の段ボール材の断面を示すもので、図２の［３］部分を示す部分拡大模式断面図である。
【図４】同段ボール棺を示す分解断面図である。
【図５】同段ボール棺の組み立て手順（袋式）を説明するもので、補強板に化粧布を縫い付けた様子を示す斜視図である。
【図６】図５の［６］部分を示す部分拡大図である。
【図７】同段ボール棺の組み立て手順（袋式）を説明するもので、棺本体に補強板および化粧布を固定する様子を示す斜視図である。
【図８】同段ボール棺の組み立て手順（展開式）を説明するもので、補強板に化粧布を縫い付けた様子を示す斜視図である。
【図９】同段ボール棺の組み立て手順（展開式）を説明するもので、棺本体に補強板および化粧布を固定する様子を示す斜視図である。
【図１０】同段ボール棺の補強板の作用を説明するもので、霊柩車のコンベアに段ボール棺を載せた様子を示す側面図である。
【図１１】同段ボール棺の補強板の作用を説明するもので、棺台に段ボール棺を載せた様子を示す側面図である。
【図１２】本考案の第２実施形態の段ボール棺を示す分解斜視図である。
【図１３】同段ボール棺の組み立て手順（展開式）を説明するもので、棺本体に補強板および化粧布を固定する様子を示す斜視図である。
【符号の説明】
【００４８】
１０      段ボール棺
１２      棺本体
１２Ａ    底板
１２Ｂ，１２Ｂ  側板
１２Ｃ    妻板
１２Ｄ    枠板
１３      蓋体
１４      窓枠
１５      補強板
１６      化粧布
１６ｊ    側布（化粧布）
１６ｋ    妻布（化粧布）
１８      コンベア
１８ａ    ローラ
１９      棺台
２０      段ボール棺
２５      補強板
２６ｊ    側布（化粧布）
２６ｋ    妻布（化粧布）
ｘ      横Ｖ溝
ｙ      縦Ｖ溝
【図１】
0003135604.tif 000003
【図２】
0003135604.tif 000004
【図３】
0003135604.tif 000005
【図４】
0003135604.tif 000006
【図５】
0003135604.tif 000007
【図６】
0003135604.tif 000008
【図７】
0003135604.tif 000009
【図８】
0003135604.tif 000010
【図９】
0003135604.tif 000011
【図１０】
0003135604.tif 000012
【図１１】
0003135604.tif 000013
【図１２】
0003135604.tif 000014
【図１３】
0003135604.tif 000015